(57)【要約】【課題】制御データ、音声信号、音楽信号などの各種伝送信号を伝送するための回路を極限まで共通化でき、したがって製造コストの低減や回路基板の小型化を良好に実現できる給湯装置を提供する。【解決手段】風呂リモコン２と台所リモコン３との間の通信に際して、送信側において、複数のデジタル変調方式で変調した信号を時分割多重して送信し、受信側において、受信した信号をデジタル変調方式毎に分離し、それらをデジタル変調方式に対応したデジタル復調方式で復調することによって、ケーブル４ａ，４ｂ上で同時に複数のデジタル変調方式の信号を通信可能とする構成とし、送信側および受信側におけるモデム機能をＤＳＰにより実現した。【選択図】  図１
2004176960.tif 000002
【特許請求の範囲】
【請求項１】
給湯装置本体と、
相互に通信可能で、かつ前記給湯装置本体を通信により遠隔操作する複数の遠隔操作装置とを有する給湯装置であって、
前記複数の遠隔操作装置相互間および／または前記複数の遠隔操作装置と前記給湯装置本体との間の通信に際して、送信側において、複数のデジタル変調方式で変調した信号を時分割多重して送信し、受信側において、受信した信号をデジタル変調方式毎に分離し、それらをデジタル変調方式に対応したデジタル復調方式で復調することによって、同一の通信路上で同時に複数のデジタル変調方式の信号を通信可能とする構成とし、
前記送信側および前記受信側におけるモデム機能をＤＳＰにより実現したことを特徴とする、給湯装置。
【請求項２】
前記ＤＳＰを動作させるプログラムを時分割で切り替えることにより、前記複数のデジタル変調方式および前記複数のデジタル復調方式に対応してモデム機能を切り替える、請求項１に記載の給湯装置。
【請求項３】
前記複数の遠隔操作装置のうちの少なくとも１つは、カラオケ演奏データおよび歌詞データを入力する入力手段を有し、
前記少なくとも１つの遠隔操作装置に備えられた前記ＤＳＰは、前記カラオケ演奏データと前記歌詞データとを互いに異なるデジタル変調方式により時分割多重して他の遠隔操作装置に送信し、
前記他の遠隔操作装置は、前記カラオケ演奏データに基づく音声出力を行う音声出力手段と、前記歌詞データに基づく表示出力を行う表示出力手段とを有する、請求項１または２に記載の給湯装置。
【請求項４】
前記複数の遠隔操作装置のうちの少なくとも１つは、カラオケ演奏データ、歌詞データ、および映像データを入力する入力手段を有し、
前記少なくとも１つの遠隔操作装置に備えられた前記ＤＳＰは、前記カラオケ演奏データと前記歌詞データと前記映像データとを少なくとも２種類のデジタル変調方式により時分割多重して他の遠隔操作装置に送信し、
前記他の遠隔操作装置は、前記カラオケ演奏データに基づく音声出力を行う音声出力手段と、前記歌詞データおよび前記映像データに基づく表示出力を行う表示出力手段とを有する、請求項１または２に記載の給湯装置。
【請求項５】
前記入力手段は、入力データが格納されたメモリを接続するためのスロットを有する、請求項３または４に記載の給湯装置。
【請求項６】
前記入力手段は、外部の通信網を接続するための接続手段を備え、前記通信網からのデータ入力を可能とした、請求項３ないし５のいずれかに記載の給湯装置。
【発明の詳細な説明】
【０００１】
【発明の属する技術分野】
本発明は、相互に通信可能な複数の遠隔操作装置を有する給湯装置に関する。
【０００２】
【従来の技術】
相互に通信可能な複数の遠隔操作装置を有する従来の給湯装置として、コントローラと各リモコン間との制御データの伝送と、インターホン機能における音声信号の伝送と、オーディオ機能におけるオーディオ信号の伝送とを、時分割多重により実現した構成のものが提案されている（たとえば、特許文献１参照）。
【０００３】
【特許文献１】
特開２００２−２９１０５４号公報
【０００４】
【発明が解決しようとする課題】
しかし、このような従来の給湯装置では、制御データの伝送をデジタルの振幅偏位変調方式で行い、音声信号およびオーディオ信号の伝送をアナログのＦＭ変調方式で行うので、変調回路および復調回路がデジタル用とアナログ用との２系統必要になり、製造コストの低減や回路基板の小型化を阻害してしまう。
【０００５】
また一般に、デジタル通信を行う場合、変復調方式の種類毎にモデムを設けていたので、製造コストの低減や機器の小型化を阻害してしまうという課題があった。
【０００６】
【発明の開示】
本発明は上記の点に鑑みて提案されたものであって、制御データ、音声信号、音楽信号などの各種伝送信号を伝送するための回路を極限まで共通化でき、したがって製造コストの低減や回路基板の小型化を良好に実現できる給湯装置を提供することを、その課題としている。
【０００７】
上記の課題を解決するため、本発明では、次の技術的手段を講じている。
【０００８】
本発明の第１の側面によれば、給湯装置本体と、相互に通信可能で、かつ給湯装置本体を通信により遠隔操作する複数の遠隔操作装置とを有する給湯装置であって、複数の遠隔操作装置相互間および／または複数の遠隔操作装置と給湯装置本体との間の通信に際して、送信側において、複数のデジタル変調方式で変調した信号を時分割多重して送信し、受信側において、受信した信号をデジタル変調方式毎に分離し、それらをデジタル変調方式に対応したデジタル復調方式で復調することによって、同一の通信路上で同時に複数のデジタル変調方式の信号を通信可能とする構成とし、送信側および受信側におけるモデム機能をＤＳＰにより実現したことを特徴とする、給湯装置が提供される。
【０００９】
好ましい実施の形態によれば、ＤＳＰを動作させるプログラムを時分割で切り替えることにより、複数のデジタル変調方式および複数のデジタル復調方式に対応してモデム機能を切り替える。
【００１０】
他の好ましい実施の形態によれば、複数の遠隔操作装置のうちの少なくとも１つは、カラオケ演奏データおよび歌詞データを入力する入力手段を有し、少なくとも１つの遠隔操作装置に備えられたＤＳＰは、カラオケ演奏データと歌詞データとを互いに異なるデジタル変調方式により時分割多重して他の遠隔操作装置に送信し、他の遠隔操作装置は、カラオケ演奏データに基づく音声出力を行う音声出力手段と、歌詞データに基づく表示出力を行う表示出力手段とを有する。
【００１１】
他の好ましい実施の形態によれば、複数の遠隔操作装置のうちの少なくとも１つは、カラオケ演奏データ、歌詞データ、および映像データを入力する入力手段を有し、少なくとも１つの遠隔操作装置に備えられたＤＳＰは、カラオケ演奏データと歌詞データと映像データとを少なくとも２種類のデジタル変調方式により時分割多重して他の遠隔操作装置に送信し、他の遠隔操作装置は、カラオケ演奏データに基づく音声出力を行う音声出力手段と、歌詞データおよび映像データに基づく表示出力を行う表示出力手段とを有する。
【００１２】
他の好ましい実施の形態によれば、入力手段は、入力データが格納されたメモリを接続するためのスロットを有する。
【００１３】
他の好ましい実施の形態によれば、入力手段は、外部の通信網を接続するための接続手段を備え、通信網からのデータ入力を可能とした。
【００１４】
本発明によれば、複数の遠隔操作装置相互間および／または複数の遠隔操作装置と給湯装置本体との間の通信に際して、送信側において、複数のデジタル変調方式で変調した信号を時分割多重して送信し、受信側において、受信した信号をデジタル変調方式毎に分離し、それらをデジタル変調方式に対応したデジタル復調方式で復調することによって、同一の通信路上で同時に複数のデジタル変調方式の信号を通信可能とする構成とし、送信側および受信側におけるモデム機能をＤＳＰにより実現したので、制御データ、音声信号、音楽信号などの各種伝送信号を伝送するための回路を極限まで共通化でき、したがって製造コストの低減や回路基板の小型化を良好に実現できる。
【００１５】
本発明のその他の特徴および利点は、添付図面を参照して以下に行う詳細な説明によって、より明らかとなろう。
【００１６】
【発明の実施の形態】
以下、本発明の好ましい実施の形態を、図面を参照しつつ具体的に説明する。
【００１７】
図１は、本発明の給湯装置の概略回路ブロック図である。この給湯装置は、給湯装置本体１、風呂リモコン２、および台所リモコン３を備えている。給湯装置本体１は、たとえば屋外に設置されている。風呂リモコン２は、浴室に設置されている。台所リモコン３は、台所に設置されている。給湯装置本体１と風呂リモコン２と台所リモコン３とは、２芯のケーブル４ａ，４ｂにより相互に接続されている。これらケーブル４ａ，４ｂは、給湯装置本体１に内蔵された端子盤５を介して互いに短絡されている。
【００１８】
給湯装置本体１は、給湯装置の中核をなすものであって、マイクロコンピュータを含む制御部、風呂リモコン２や台所リモコン３と通信を行うための通信部、水を加熱するための熱源部などを備えているが、それらの構成は周知であるので、図示および説明を省略する。なお、給湯装置本体１は、一般給湯機能の他に、風呂浴槽への湯張り機能、追焚機能、および温水暖房機能のうちの少なくとも１つを併設したものであってもよいし、湯張り機能、追焚機能、および温水暖房機能それぞれの単機能型温水装置であってもよい。また、給湯装置本体１の熱源としての燃焼器の燃料は、ガスであっても石油であってもよい。さらに、給湯装置本体１は、電気ヒータを熱源とする電気温水器であってもよいし、二酸化炭素ヒートポンプ給湯器など、他のタイプの給湯機器であってもよい。
【００１９】
風呂リモコン２は、制御部２１、通信部２２、操作部２３、表示部２４、ＯＳＤコントローラ２５、音楽再生部２６、増幅部２７、スピーカ２８、Ａ／Ｄコンバータ２９、マイクロホン３０、音声コーデック４４、Ｄ／Ａコンバータ４５、および音声コーデック４６を備えている。音声コーデック４４はデコーダとして機能し、音声コーデック４６はエンコーダとして機能する。これら音声コーデック４４，４６は、実際には１個の音声コーデックにより実現されている。
【００２０】
制御部２１は、マイクロコンピュータを備えており、風呂リモコン２の全体を制御する。通信部２２は、給湯装置本体１や台所リモコン３との間の通信を実行する。操作部２３は、キースイッチ群を備えており、使用者の操作に応じた操作信号を制御部２１に供給する。表示部２４は、蛍光表示管群あるいは液晶表示装置などからなり、各種の情報を表示する。
【００２１】
台所リモコン３は、制御部３１、通信部３２、操作部３３、表示部３４、Ｄ／Ａコンバータ３５、増幅部３６、スピーカ３７、Ａ／Ｄコンバータ３８、マイクロホン３９、メモリスロット４０、および音声コーデック４２，４３を備えている。音声コーデック４２はエンコーダとして機能し、音声コーデック４３はデコーダとして機能する。これら音声コーデック４２，４３は、実際には１個の音声コーデックにより実現されている。
【００２２】
制御部３１は、マイクロコンピュータを備えており、台所リモコン３の全体を制御する。通信部３２は、給湯装置本体１や風呂リモコン２との間の通信を実行する。操作部３３は、キースイッチ群を備えており、使用者の操作に応じた操作信号を制御部３１に供給する。表示部３４は、蛍光表示管群あるいは液晶表示装置などからなり、各種の情報を表示する。メモリスロット４０には、ＥＥＰＲＯＭあるいはフラッシュメモリなどの不揮発性の半導体メモリ４１が装着される。半導体メモリ４１は、台所リモコン３の外部からメモリスロット４０に挿抜自在である。
【００２３】
図２は通信部２２の機能ブロック図である。通信部２２は、モデム部５１、Ｄ／Ａコンバータ５２、およびＡ／Ｄコンバータ５３を備えている。モデム部５１は、ＱＰＳＫ変調部６１、ＡＳＫ変調部６２、ＱＰＳＫ復調部６３、ＡＳＫ復調部６４、送信制御部６５、およびデジタルフィルタ６６，６７を備えている。モデム部５１は、ＤＳＰにより実現されている。台所リモコン３の通信部３２は、通信部２２と同様の構成である。また、給湯装置本体１にも通信部２２と同様の構成の通信部が設置されている。
【００２４】
次に動作を説明する。
【００２５】
給湯装置本体１と風呂リモコン２および台所リモコン３との間の各種の制御データの通信は、ケーブル４ａ，４ｂを介して通信部２２，３２および給湯装置本体１の通信部により実行される。ケーブル４ａ，４ｂは、給湯装置本体１から風呂リモコン２および台所リモコン３に電源を供給するのに用いられており、制御データは電源電圧に重畳されて伝送される。
【００２６】
たとえば浴室の使用者が台所の使用者と通話したい場合、浴室の使用者が風呂リモコン２の操作部２３に所定の操作を施し、マイクロホン３０に向けて音声を発する。マイクロホン３０に入力された音声は、マイクロホン３０によりアナログの音声信号に変換されて、Ａ／Ｄコンバータ２９によりデジタルの音声信号に変換され、音声コーデック４６によりエンコードされる。この音声符号化されたデジタル信号は、制御部２１を介して通信部２２の所定のポートからＱＰＳＫ変調部６１に入力され、ＱＰＳＫ変調部６１によりＱＰＳＫ形式で符号化されて、送信制御部６５を介してＤ／Ａコンバータ５２に供給される。そして、Ｄ／Ａコンバータ５２によりアナログ信号に変換されて、ケーブル４ａに送出される。
【００２７】
このとき、風呂リモコン２から台所リモコン３に制御信号を送信する場合、制御部２１から通信部２２の所定のポートを介してＡＳＫ変調部６２にデジタルの制御信号が供給される。この制御信号は、ＡＳＫ変調部６２によってＡＳＫ形式で符号化され、送信制御部６５を介してＤ／Ａコンバータ５２に供給される。このとき、送信制御部６５によって送信タイミングを制御され、インターホンの音声符号化されたデジタル信号と時分割多重される。具体的には、図３に示すように、インターホンの音声符号化されたデジタル信号を送信するためのＱＰＳＫの同期信号Ａのタイミングから所定時間経過後に制御信号を送信するためのＡＳＫに切り替わり、その後所定時間経過後にＱＰＳＫに切り替わる。Ｄ／Ａコンバータ５２に供給された制御信号は、Ｄ／Ａコンバータ５２によりアナログ信号に変換されて、ケーブル４ａに送出される。
【００２８】
ケーブル４ａに送出されたインターホンの音声信号は、ケーブル４ｂを介して台所リモコン３の通信部３２に入力され、Ａ／Ｄコンバータ５３によってデジタル信号に変換されて、デジタルフィルタ６６，６７に供給される。デジタルフィルタ６６に供給された音声符号化されたデジタル信号は、デジタルフィルタ６６を通過し、ＱＰＳＫ復調部６３によって復調され、制御部３１に供給される。制御部３１に供給された音声符号化されたデジタル信号は、音声コーデック４３に供給され、音声コーデック４３によってデコードされて、Ｄ／Ａコンバータ３５によってアナログ信号に変換され、増幅部３６によって増幅され、スピーカ３７から音声として出力される。デジタルフィルタ６７に供給された音声符号化されたデジタル信号は、デジタルフィルタ６７を通過することができず、カットされる。
【００２９】
また、ケーブル４ａに送出された制御信号は、ケーブル４ｂを介して台所リモコン３の通信部３２に入力され、Ａ／Ｄコンバータ５３によってデジタル信号に変換されて、デジタルフィルタ６６，６７に供給される。デジタルフィルタ６７に供給された制御信号は、デジタルフィルタ６７を通過し、ＡＳＫ復調部６４によって復調され、制御部３１に供給される。デジタルフィルタ６６に供給された制御信号は、デジタルフィルタ６６を通過することができず、カットされる。
【００３０】
台所の使用者が台所リモコン３のマイクロホン３９に向けて音声を発すると、マイクロホン３９に入力された音声がアナログの音声信号に変換されて、Ａ／Ｄコンバータ３８によりデジタルの音声信号に変換され、音声コーデック４２によってエンコードされる。この音声符号化されたデジタル信号は、制御部３１を介して通信部３２の所定のポートからＱＰＳＫ変調部６１に入力され、ＱＰＳＫ変調部６１によりＱＰＳＫ形式で符号化されて、送信制御部６５を介してＤ／Ａコンバータ５２に供給される。そして、Ｄ／Ａコンバータ５２によりアナログ信号に変換されて、ケーブル４ｂに送出される。
【００３１】
このとき、台所リモコン３から風呂リモコン２に制御信号を送信する場合、制御部３１から通信部３２の所定のポートを介してＡＳＫ変調部６２にデジタルの制御信号が供給される。この制御信号は、ＡＳＫ変調部６２によってＡＳＫ形式で符号化され、送信制御部６５を介してＤ／Ａコンバータ５２に供給される。このとき、送信制御部６５によって送信タイミングを制御され、インターホンの音声符号化されたデジタル信号と時分割多重される。具体的には、図３に示すように、インターホンの音声符号化されたデジタル信号を送信するためのＱＰＳＫの同期信号Ａのタイミングから所定時間経過後に制御信号を送信するためのＡＳＫに切り替わり、その後所定時間経過後にＱＰＳＫに切り替わる。Ｄ／Ａコンバータ５２に供給された制御信号は、Ｄ／Ａコンバータ５２によりアナログ信号に変換されて、ケーブル４ｂに送出される。
【００３２】
ケーブル４ｂに送出されたインターホンの音声信号は、ケーブル４ａを介して風呂リモコン２の通信部２２に入力され、Ａ／Ｄコンバータ５３によってデジタル信号に変換されて、デジタルフィルタ６６，６７に供給される。デジタルフィルタ６６に供給された音声符号化されたデジタル信号は、デジタルフィルタ６６を通過し、ＱＰＳＫ復調部６３によって復調され、制御部２１に供給される。制御部２１に供給された音声符号化されたデジタル信号は、音声コーデック４４に供給され、音声コーデック４４によってデコードされ、Ｄ／Ａコンバータ４５によってアナログ信号に変換されて、増幅部２７によって増幅され、スピーカ２８から音声として出力される。デジタルフィルタ６７に供給された音声符号化されたデジタル信号は、デジタルフィルタ６７を通過することができず、カットされる。
【００３３】
また、ケーブル４ｂに送出された制御信号は、ケーブル４ａを介して風呂リモコン２の通信部２２に入力され、Ａ／Ｄコンバータ５３によってデジタル信号に変換されて、デジタルフィルタ６６，６７に供給される。デジタルフィルタ６７に供給された制御信号は、デジタルフィルタ６７を通過し、ＡＳＫ復調部６４によって復調され、制御部２１に供給される。デジタルフィルタ６６に供給された制御信号は、デジタルフィルタ６６を通過することができず、カットされる。
【００３４】
一方、浴室の使用者がカラオケを楽しみたい場合、浴室の使用者が風呂リモコン２に所定の操作を施すと、操作信号が制御部２１に入力される。そして制御部２１が、使用者により指定されたカラオケの曲データと歌詞データと映像データとを送信すべき旨の制御信号を通信部２２に送信させる。この制御信号は、既述のように台所リモコン３の通信部３２によって受信され、制御部３１に供給される。これにより制御部３１が、半導体メモリ４１から指定された曲データと歌詞データと映像データとを読み出す。曲データは、たとえばＭＩＤＩ形式であるが、オリジナルフォーマットであってもよい。歌詞データは、たとえばテキスト形式である。映像データは、たとえばＭＰＥＧ４形式である。そして制御部３１が、映像データを通信部３２の所定のポートを介してＱＰＳＫ変調部６１に供給するとともに、曲データと歌詞データとを通信部３２の所定のポートを介してＡＳＫ変調部６２に供給する。ＱＰＳＫ変調部６１に供給された映像データは、ＱＰＳＫ変調部６１によりＱＰＳＫ形式で符号化されて、送信制御部６５を介してＤ／Ａコンバータ５２に供給される。そして、Ｄ／Ａコンバータ５２によりアナログ信号に変換されて、ケーブル４ｂに送出される。
【００３５】
ＡＳＫ変調部６２に供給された曲データと歌詞データとは、ＡＳＫ変調部６２によってＡＳＫ形式で符号化され、送信制御部６５を介してＤ／Ａコンバータ５２に供給される。このとき、送信制御部６５によって送信タイミングを制御され、ＱＰＳＫの映像データとＡＳＫの曲データおよび歌詞データとが時分割多重される。具体的には、図３に示すように、映像データを送信するためのＱＰＳＫの同期信号Ａのタイミングから所定時間経過後に曲データおよび歌詞データを送信するためのＡＳＫに切り替わり、その後所定時間経過後にＱＰＳＫに切り替わる。Ｄ／Ａコンバータ５２に供給された曲データおよび歌詞データは、Ｄ／Ａコンバータ５２によりアナログ信号に変換されて、ケーブル４ｂに送出される。
【００３６】
ケーブル４ｂに送出された映像データは、ケーブル４ａを介して風呂リモコン２の通信部２２に入力され、Ａ／Ｄコンバータ５３によってデジタル信号に変換されて、デジタルフィルタ６６，６７に供給される。デジタルフィルタ６６に供給された映像データは、デジタルフィルタ６６を通過し、ＱＰＳＫ復調部６３によって復調され、制御部２１に供給される。制御部２１に供給された映像データは、表示部２４に供給され、表示部２４の表示画面にカラオケの映像が表示される。デジタルフィルタ６７に供給された映像データは、デジタルフィルタ６７を通過することができず、カットされる。
【００３７】
また、ケーブル４ｂに送出された曲データおよび歌詞データは、ケーブル４ａを介して風呂リモコン２の通信部２２に入力され、Ａ／Ｄコンバータ５３によってデジタル信号に変換されて、デジタルフィルタ６６，６７に供給される。デジタルフィルタ６７に供給された曲データおよび歌詞データは、デジタルフィルタ６７を通過し、ＡＳＫ復調部６４によって復調され、制御部２１に供給される。制御部２１に供給された曲データは、音楽再生部２６に供給され、音楽再生部２６によってアナログの音楽信号に変換されて、増幅部２７によって増幅された後、スピーカ２８から音楽として出力される。また、制御部２１に供給された歌詞データは、ＯＳＤコントローラ２５に供給され、表示部２４の表示画面上で映像に重畳された文字として表示される。デジタルフィルタ６６に供給された曲データおよび歌詞データは、デジタルフィルタ６６を通過することができず、カットされる。また、使用者の歌声は、マイクロホン３０により音声信号に変換され、Ａ／Ｄコンバータ２９によりデジタル信号に変換され、音声コーデック４６によりエンコードされて、制御部２１を介して音楽再生部２６に供給される。そして、音楽再生部２６により各種の音響処理を施された後にアナログ信号に変換され、増幅部２７により増幅されて、スピーカ２８から音声として出力される。
【００３８】
このように、風呂リモコン２と台所リモコン３との間の通信に際して、送信側において、複数のデジタル変調方式で変調した信号を時分割多重して送信し、受信側において、受信した信号をデジタル変調方式毎に分離し、それらをデジタル変調方式に対応したデジタル復調方式で復調することによって、ケーブル４ａ，４ｂ上で同時に複数のデジタル変調方式の信号を通信可能とする構成とし、送信側および受信側におけるモデム部５１をＤＳＰにより実現したので、制御データ、音声信号、音楽信号などの各種伝送信号を伝送するための回路を極限まで共通化でき、したがって製造コストの低減や回路基板の小型化を良好に実現できる。
【００３９】
また、変調方式の種類毎に時分割多重するので、時分割多重を行わない場合と比較して、伝送エラーの発生を良好に低減できる。
【００４０】
また、複数種類のフォーマットのデータを実質的に同時に伝送できるので、風呂リモコン２と台所リモコン３とにより、インタホンシステムやカラオケシステムなど、各種のシステムを構築できる。
【００４１】
また本実施形態のように、半導体メモリ４１をメモリスロット４０に着脱可能なように構成すれば、カラオケソースを容易に変更できる。したがって、飽きることなく所望の曲によりカラオケを楽しむことができる。
【００４２】
図４は、別の実施形態におけるモデム部５１の機能ブロック図である。このモデム部５１は、ＤＳＰにより実現されており、インストラクションＲＡＭ７１、変調部７２、復調部７３、およびデジタルフィルタ７４を備えている。そして、制御部２１あるいは制御部３１からインストラクションＲＡＭ７１にインストールするソフトウェアを時分割で切り替えることにより、変調部７２、復調部７３、およびデジタルフィルタ７４がＱＰＳＫ用として動作する状態と、ＡＳＫ用として動作する状態とに切り替わる。したがって、制御部２１，３１によりモデム部５１をＱＰＳＫ用とＡＳＫ用とに自在に切り替えて使用でき、時分割多重を実現できる。
【００４３】
また、上記実施形態においては、半導体メモリ４１を台所リモコン３の外部からメモリスロット４０に着脱自在に構成したが、台所リモコン３のカバーを取り外すことによって半導体メモリ４１の交換が可能になるように構成してもよい。
【００４４】
また、上記実施形態においては、台所リモコン３に半導体メモリ４１を装着可能に構成したが、風呂リモコン２に半導体メモリ４１を装着可能に構成してもよく、風呂リモコン２と台所リモコン３との双方に半導体メモリ４１を装着可能に構成してもよい。
【００４５】
また、上記実施形態においては、風呂リモコン２にカラオケ演奏機能を設けたが、台所リモコン３にカラオケ演奏機能を設けてもよく、風呂リモコン２と台所リモコン３との双方にカラオケ演奏機能を設けてもよい。
【００４６】
また、上記実施形態においては、カラオケのソースとして半導体メモリ４１を用いたが、半導体メモリ４１の代わりにミニディスクやＤＶＤのような他の記憶媒体を用いてもよく、あるいは、インターネットやＬＡＮなどのネットワークを経由してカラオケソースを得るように構成してもよい。
【００４７】
また、上記実施形態においては、２種類のデジタル変復調方式を同時に用いたが、３種類以上のデジタル変復調方式を同時に用いてもよい。たとえば、上記実施形態においては、変調方式としてＱＰＳＫとＡＳＫとを採用したが、これらに代えて、あるいはこれらと共に、π／４シフトＱＰＳＫやＱＡＭなどの他の変調方式を採用してもよい。
【００４８】
また、上記実施形態においては、カラオケの映像および歌詞を表示部２４の表示画面に表示するように構成したが、カラオケの歌詞のみを表示部２４の表示画面に表示するように構成してもよい。
【００４９】
また、上記実施形態においては、風呂リモコン２と台所リモコン３とにより音声のみのインタホン機能を実現したが、風呂リモコン２および台所リモコン３にＣＣＤカメラなどを設け、相手の顔などが表示部２４，３４に表示されるように構成し、ＴＶインタホン機能を実現してもよい。
【００５０】
また、上記実施形態においては、遠隔操作装置として風呂リモコン２および台所リモコン３を設けたが、居間や洗面所やシャワールームなどにもリモートコントローラを設け、これらリモートコントローラ相互間で時分割多重によるデータ伝送を行うように構成してもよい。
【００５１】
【発明の効果】
以上説明したように、本発明によれば、複数の遠隔操作装置相互間および／または複数の遠隔操作装置と給湯装置本体との間の通信に際して、送信側において、複数のデジタル変調方式で変調した信号を時分割多重して送信し、受信側において、受信した信号をデジタル変調方式毎に分離し、それらをデジタル変調方式に対応したデジタル復調方式で復調することによって、同一の通信路上で同時に複数のデジタル変調方式の信号を通信可能とする構成とし、送信側および受信側におけるモデム機能をＤＳＰにより実現したので、制御データ、音声信号、音楽信号などの各種伝送信号を伝送するための回路を極限まで共通化でき、したがって製造コストの低減や回路基板の小型化を良好に実現できる。
【図面の簡単な説明】
【図１】本発明の給湯装置の概略回路ブロック図である。
【図２】通信部の機能ブロック図である。
【図３】時分割多重の切り替えタイミングの説明図である。
【図４】他の実施形態における通信部の機能ブロック図である。
【符号の説明】
１  給湯装置本体
２  風呂リモコン
３  台所リモコン
４ａ，４ｂ  ケーブル
５  端子盤
２１  制御部
２２  通信部
２３  操作部
２４  表示部
２５  ＯＳＤコントローラ
２６  音楽再生部
２７  増幅部
２８  スピーカ
２９  Ａ／Ｄコンバータ
３０  マイクロホン
３１  制御部
３２  通信部
３３  操作部
３４  表示部
３５  Ｄ／Ａコンバータ
３６  増幅部
３７  スピーカ
３８  Ａ／Ｄコンバータ
３９  マイクロホン
４０  メモリスロット
４１  半導体メモリ
４２  音声コーデック
４３  音声コーデック
４４  音声コーデック
４５  Ｄ／Ａコンバータ
４６  音声コーデック
５１  モデム部
５２  Ｄ／Ａコンバータ
５３  Ａ／Ｄコンバータ
６１  ＱＰＳＫ変調部
６２  ＡＳＫ変調部
６３  ＱＰＳＫ復調部
６４  ＡＳＫ復調部
６５  送信制御部
６６  デジタルフィルタ
６７  デジタルフィルタ
７１  インストラクションＲＡＭ
７２  変調部
７３  復調部
７４  デジタルフィルタ
【図１】
2004176960.tif 000003
【図２】
2004176960.tif 000004
【図３】
2004176960.tif 000005
【図４】
2004176960.tif 000006